(57)【特許請求の範囲】
【請求項１】
デジタル放送信号を受信して復調することによりシステムストリームを出力する復調器と、
この復調器からのシステムストリームを画像の圧縮データ、オーディオデータ及び有料番組サービスのプレビュー時間データを含むその他データに分離する分離回路と、
複数の逆量子化テーブルと、
前記分離回路からの有料番組サービスのプレビュー時間データに基づいてタイミングを設定して前記複数の逆量子化テーブルを切換え選択する逆量子化テーブル選択スイッチ回路と、
前記分離回路からの画像の圧縮データを前記逆量子化テーブル選択スイッチ回路が選択した逆量子化テーブルを用いて逆量子化を行い離散コサイン変換係数を出力する逆量子化回路と、
この逆量子化回路からの離散コサイン変換係数に対して逆離散コサイン変換演算を行い、復元画像データを作成する逆離散コサイン変換回路と、
を具備したことを特徴とするデジタル放送受信装置。
【請求項２】
前記逆量子化テーブル選択スイッチ回路は、プレビュー時間の経過にともない、前記逆離散コサイン変換回路からの復元画像データによる表示画像の精細度が低下するように前記複数の逆量子化テーブルを切換え選択することを特徴とする請求項１記載のデジタル放送受信装置。
【請求項３】
デジタル放送信号を受信して復調することによりシステムストリームを出力する復調器と、
この復調器からのシステムストリームを画像の圧縮データ、オーディオデータ及び有料番組サービスの料金が遅滞なく支払われているか否かを示す情報を含むその他データに分離する分離回路と、
複数の逆量子化テーブルと、
前記分離回路からの有料番組サービスの料金が遅滞なく支払われているか否かを示す情報に基づいてタイミングを設定して前記複数の逆量子化テーブルを切換え選択する逆量子化テーブル選択スイッチ回路と、
前記分離回路からの画像の圧縮データを前記逆量子化テーブル選択スイッチ回路が選択した逆量子化テーブルを用いて逆量子化を行い離散コサイン変換係数を出力する逆量子化回路と、
この逆量子化回路からの離散コサイン変換係数に対して逆離散コサイン変換演算を行い、復元画像データを作成する逆離散コサイン変換回路と、
を具備したことを特徴とするデジタル放送受信装置。
【請求項４】
前記逆量子化テーブル選択スイッチ回路は、料金の支払いに遅滞が生じている場合、前記逆離散コサイン変換回路からの復元画像データによる表示画像の精細度が低下するように前記複数の逆量子化テーブルを切換え選択することを特徴とする請求項３記載のデジタル放送受信装置。
【発明の詳細な説明】
【０００１】
【発明の属する技術分野】
この発明は有料番組に対してプレビューサービスを行うことができるデジタル放送受信装置に係り、特にプレビューサービスの利用促進効果を高めることができるデジタル放送受信装置に関する。
【０００２】
【従来の技術】
近年、衛星放送やケーブルテレビジョン放送の等で、放送のデジタル化が進められており、各種デジタル放送システムが開発されてきている。このようなデジタル放送システムでは、データの圧縮が効率的に行えるため、多チャンネル化を図ることができ、さらに、データの加工が容易であるため、多様な放送サービスが可能となる。このようなデジタル放送システムの一例としてＭＰＥＧ２デジタル放送システムがある。
【０００３】
図７はこのような従来のデジタル放送システムに用いられるデジタル放送送信装置を示すブロック図である。
【０００４】
図７において、符号７１はビデオカメラであり、このビデオカメラ７１で受像された原画像のデジタルデータａ７は、ビデオ符号器７２で符号化され、画像の圧縮データｂ７として多重化回路７３に供給される。多重化回路７３は、供給される画像の圧縮データｂ７をオーディオデータや、その他データと多重化し、ＭＰＥＧ２システムストリームｃ７として変調器７４に供給する。変調器７４は、供給されるＭＰＥＧ２システムストリームｃ７を変調し、送信アンテナ７５からデジタル放送信号ｄ７として送信する。
【０００５】
図８は図７のデジタル放送送信装置からのデジタル放送信号ｄ７を受信するデジタル放送受信装置を示すブロック図である。
【０００６】
図８において、デジタル放送送信装置からのデジタル放送信号ｄ７は、受信アンテナ７６で受信後、復調器７７で復調されＭＰＥＧ２システムストリームｅ７として分離回路（ＤＭＵＸ）７８に供給される。分離回路７８は供給されるＭＰＥＧ２システムストリームｅ７を画像の圧縮データｆ７、オーディオデータ及びその他データに分離し、画像の圧縮データｆ７についてはビデオ復号器７９に供給する。ビデオ復号器７９は、供給される圧縮データｆ７を復号することにより、復元画像データｇ７を作成してテレビ受像機８０に映像表示させる。
【０００７】
図９は図７のデジタル放送送信装置のビデオ符号器７２をさらに詳細に説明するブロック図である。
【０００８】
図９において、符号８１はビデオ符号器７２の入力端子であり、この入力端子８１には図７のビデオカメラ７１からの原画像のデジタルデータａ７が導かれる。入力端子８１に導かれた原画像のデジタルデータａ７は、原画像フレームメモリ８２によって記憶され、ある正方形の領域（１６×１６画素のブロック）に分割され、この領域毎にＤＣＴ（離散コサイン変換）回路８３によってＤＣＴ演算され、ＤＣＴ係数ａ８に変換される。量子化回路８４は、供給されるＤＣＴ係数ａ８を量子化テーブル８５からの量子化特性値ｂ８を用いて量子化を行い、圧縮データｂ７として出力端子８６に出力する。出力端子８６から出力され圧縮データｂ７は、図７の多重化回路７３に供給される。
【０００９】
この場合、ＤＣＴ回路８３は、原画像のデジタルデータａ７が示す自然画像をある正方形の領域に対するＤＣＴ演算によって、領域内の平均的（一様）な（空間周波数が低い）画像にはじまり、徐々に精細さを表現する（空間周波数が高い）画像へと段階的な画像に分解する。つまり、自然画像は、ＤＣＴ回路８３によって、第一低周波項（平均値画像）から順に、高周波項へと分解した画像の重ね合わせた表現となる。量子化回路８４では各ＤＣＴ係数ａ８をある量子化特性値（除数）で割り算をして、余りを丸めることで、高周波項を落とし、データの圧縮を行う。量子化回路８４で丸めた部分は、再生後に、後で述べる図１０のビデオ復号器７９において掛け算をしても、完全には復元されない。このため、量子化回路８４が出力する圧縮データｂ７は、除数が大きければ、ほとんどの係数が０になり圧縮率を高くすることができるが、高周波項が切り捨てられる（精細さがなくなる）ため、再生画像がボケたような画像となる。逆に、圧縮データｂ７は、除数が小さいと切り捨てられる項が少なくなるため、再生時に精細さが損なわれることが無くなるが、圧縮率は低くなる。各項についての除数は量子化テーブル８５により最適値が設定される。
【００１０】
図１０は図８のビデオ復号器７９をさらに詳細に説明するブロック図である。
【００１１】
図１０において、符号９１はビデオ復号器７９の入力端子であり、この入力端子９１には図８の分離回路７８からの画像の圧縮データｆ７が導かれる。
【００１２】
入力端子９１に導かれた圧縮データｆ７は、逆量子化回路９２に導かれる。逆量子化回路９２は、圧縮データｆ７における正方形の各領域の画素毎に、符号化側の量子化テーブル（図９の量子化テーブル８５）に対応した逆量子化テーブル９３から得られる量子化ステップａ９を掛けることによりＤＣＴ係数ｂ９を得て逆ＤＣＴ回路９４に供給する。逆ＤＣＴ回路９４は、供給されるＤＣＴ係数ｂ９に対しては逆ＤＣＴ演算を行い、復元画像データｇ７を作成して出力端子９５に導く。出力端子９５に導びかれた復元画像データｇ７は、テレビ受像機８０に供給される。
【００１３】
以上、ＭＰＥＧ２デジタル放送システムの概要（参考文献  最新ＭＰＥＧ教科書  マルチメディア通信研究会編  アスキー出版刊）を述べたが、次に、デジタル放送システムによる多様なサービスの一つとして上げられるペイパービュー  （ＰＰＶ）サービスについて述べる。
【００１４】
ＰＰＶサービスとは、有料テレビサービスの１つであり、番組単位に料金が設定され、利用者が視聴したい番組についてのみ、利用料金を支払うものである。ＰＰＶサービス番組データには、通常、スクランブルが掛けられており番組内容を把握することはできないが、料金が支払われた利用者の受信装置においてのみ、スクランブルを解除する装置（デスクランブル）が動作し、復元画像を得ることができる。
【００１５】
ＰＰＶサービス提供者は、番組の利用促進のため、少しの時間、視聴者に無料で番組内容を見せるサービスを行うことがある。これは、プレビューサービスと言われるものであり、視聴者が全く番組内容を把握できない場合に比べて、視聴者のＰＰＶサービス番組に対する関心を得ることができる。
【００１６】
図１１はこのようなプレビューサービスを示す説明図であり、図１１（ａ）はプレビューサービスの画面を示し、図１１（ｂ）はプレビューサービス後の画面を示していめる。
【００１７】
図１１（ａ）において、テレビジョン受像機の画面１０１には販売促進のためのプレビュー画面１０２が表示されている。プレビュー画面１０２の下側は、番組領域１０３となっており、この図では、番組領域１０３に“有料５００円”の文字が表示されている。プレビュー画面１０２の上側は、番組情報領域１０４となっており、番組情報領域１０４にここでは番組タイトルの“ネコのすべて”の文字と“プレビュー中”の文字が表示されている。プレビュー画面１０２の中間部は、番組内容領域１０５となっており、デスクランブルされた番組内容（ネコの映像）１０６が映し出されている。
【００１８】
視聴者が番組を視聴したい場合、番組購入の契約を行うと、継続して番組を視聴することができる。視聴者が番組契約をしない場合、規定のプレビュー時間が経過するとデスクランブルの動作が停止し、番組はスクランブルされ番組内容の把握はできなくなる。このとき、図１１（ｂ）に示すように、テレビジョン受像機の画面１０１の表示は、映像ミュートがかけられた画面１１２となる。画面１１２の下側の番組領域１０３には、図１１（ａ）と同様の表示が行われ、画面１１２の番組情報領域１０４には、番組タイトルの“ネコのすべて”の文字が表示され、“プレビュー中”の文字が表示ていない。画面１１２の番組内容領域１０５には、映像ミュートがかけられた映像１１６が表示されるとともに、その中央部１１７に“番組はすでに始まっています。”の文字が表示されている。
【００１９】
このような従来のデジタル放送受信装置によるプレビューサービスでは、番組購入の契約を行わない場合、プレビュー期間のみで番組内容が把握でき、それ以外では、番組内容が全く判らないという、２つの状態しか設定できないため、ＰＰＶの利用促進サービスとしては、限定された効果しか得られなかった。
【００２０】
【発明が解決しようとする課題】
上述した従来のデジタル放送受信装置によるプレビューサービスでは、番組購入の契約を行わない場合、プレビュー期間でのみ番組内容が把握でき、それ以外では、番組内容が全く判らないという、２つの状態しか設定できないため、ＰＰＶの利用促進サービスとしては、限定された効果しか得られなかった。
【００２１】
この発明は上記問題点を除去し、プレビューサービスの利用促進効果を高めることができるデジタル放送受信装置の提供することを目的とする。
【００２２】
【課題を解決するための手段】
請求項１記載のデジタル放送受信装置は、デジタル放送信号を受信して復調することによりシステムストリームを出力する復調器と、この復調器からのシステムストリームを画像の圧縮データ、オーディオデータ及び有料番組サービスのプレビュー時間データを含むその他データに分離する分離回路と、複数の逆量子化テーブルと、前記分離回路からの有料番組サービスのプレビュー時間データに基づいてタイミングを設定して前記複数の逆量子化テーブルを切換え選択する逆量子化テーブル選択スイッチ回路と、前記分離回路からの画像の圧縮データを前記逆量子化テーブル選択スイッチ回路が選択した逆量子化テーブルを用いて逆量子化を行い離散コサイン変換係数を出力する逆量子化回路と、この逆量子化回路からの離散コサイン変換係数に対して逆離散コサイン変換演算を行い、復元画像データを作成する逆離散コサイン変換回路と、を具備したことを特徴とする。
【００２３】
【発明の実施の形態】
以下、発明の実施の形態を図面を参照して説明する。
【００２４】
図１乃至図４は本発明に係るデジタル放送受信装置の発明の実施の形態を用いたデジタル放送システムを示すブロック図であり、図１はデジタル放送受信装置のビデオ復号器を示すブロック図、図２はデジタル放送送信装置を示すブロック図、図３はデジタル放送受信装置を示すブロック図、図４はデジタル放送送信装置のビデオ符号器を示すブロック図である。
【００２５】
まず、図２を用いてデジタル放送送信装置を説明する。
【００２６】
図２において、符号１１はビデオカメラであり、このビデオカメラ１１で受像された原画像のデジタルデータａ１はビデオ符号器１２で符号化され、画像の圧縮データｂ１として多重化回路１３に供給される。多重化回路１３は、供給される画像の圧縮データｂ１をオーディオデータや、有料番組サービス｛例えば、ペイパービュー（ＰＰＶ）サービス｝のプレビュー時間データを含むその他データと多重化し、ＭＰＥＧ２システムストリームｃ１として変調器１４に供給する。変調器１４は、供給されるＭＰＥＧ２システムストリームｃ１を変調し、送信アンテナ１５からデジタル放送信号ｄ１として送信する。
【００２７】
次に、図３を用いて図２のデジタル放送送信装置からのデジタル放送信号ｄ１を受信するデジタル放送受信装置を説明する。
【００２８】
図３において、デジタル放送送信装置からのデジタル放送信号ｄ１は、受信アンテナ１６で受信後、復調器１７で復調されＭＰＥＧ２システムストリームｅ１として分離回路（ＤＭＵＸ）１８に供給される。分離回路１８は供給されるＭＰＥＧ２システムストリームｅ１を画像の圧縮データｆ１、オーディオデータ及び有料番組サービスのプレビュー時間データｈ１を含むその他データに分離し、画像の圧縮データｆ１及び有料番組サービスのプレビュー時間データｈ１についてはビデオ復号器１９に供給する。ビデオ復号器１９は、供給される圧縮データｆ１を復号することにより、復元画像データｇ１を作成してテレビ受像機２０に映像表示させるとともに、有料番組サービスのプレビュー時間データｈ１に基づいて復元画像データｇ１の表示画像の精細度を低下させてテレビ受像機２０に映像表示させる。
【００２９】
次に、図４を用いて、図２のデジタル放送送信装置のビデオ符号器１２をさらに詳細に説明する。
【００３０】
図４において、符号２１はビデオ符号器１２の入力端子であり、この入力端子２１にはビデオカメラ１１からの原画像のデジタルデータａ１導かれる。入力端子２１に導かれた原画像のデジタルデータａ１は、原画像フレームメモリ２２によって記憶され、ある正方形の領域（１６×１６画素のブロック）に分割され、この領域毎にＤＣＴ（離散コサイン変換）回路２３によってＤＣＴ演算され、ＤＣＴ係数ａ２に変換される。量子化回路２４は、ＤＣＴ係数ａ２をこの量子化テーブル２５からの量子化特性値ｂ２を用いて量子化を行い、圧縮データｂ１として出力端子２６に出力する。出力端子２６から出力され圧縮データｂ１は、多重化回路１３に供給される。
【００３１】
この場合、ＤＣＴ回路２３は、原画像のデジタルデータａ１が示す自然画像をある正方形の領域に対するＤＣＴ演算によって、領域内の平均的（一様）な（空間周波数が低い）画像にはじまり、徐々に精細さを表現する（空間周波数が高い）画像へと段階的な画像に分解する。つまり、自然画像は、ＤＣＴ回路２３によって、第一低周波項（平均値画像）から順に、高周波項へと分解した画像の重ね合わせた表現となる。量子化回路２４では各ＤＣＴ係数ａ２をある量子化特性値（除数）で割り算をして、余りを丸めることで、高周波項を落とし、データの圧縮を行う。量子化回路２４で丸めた部分は、再生後に、後で述べる図１のビデオ復号器１９において掛け算をしても、完全には復元されない。このため、量子化回路２４が出力する圧縮データｂ１は、除数が大きければ、ほとんどの係数が０になり圧縮率を高くすることができるが、高周波項が切り捨てられる（精細さがなくなる）ため、再生画像がボケたような画像となる。逆に、圧縮データｂ１は、除数が小さいと切り捨てられる項が少なくなるため、再生時に精細さが損なわれることが無くなるが、圧縮率は低くなる。各項についての除数は量子化テーブル２５により最適値が設定される。
【００３２】
次に、図１を用いて、本発明の実施の形態の要部となる図３のビデオ復号器１９を詳細に説明する。
【００３３】
図１において、符号２１はビデオ復号器１９の第１の入力端子であり、この第１の入力端子３１には分離回路１８からの画像の圧縮データｆ１が導かれる。ビデオ復号器１９の第２の入力端子４１には分離回路１８からの有料番組サービスのプレビュー時間データｈ１が導かれる。
【００３４】
入力端子４１に導かれたプレビュー時間データｈ１は、逆量子化テーブル選択スイッチ回路４２に供給される。
【００３５】
第１乃至第Ｎの逆量子化テーブル３−１，３−２，３−３…３−Ｎは、異なる逆量子化ステップで構成されている。第１の逆量子化テーブル３−１は、通常の画像を表示するためのものであり、図３の符号化側の量子化テーブル２５に対応している。第２の逆量子化テーブル３−２は、第１の逆量子化テーブル３−１に比べて空間周波数の高域を切り捨てるような数値で構成されている。第３の逆量子化テーブル３−３から第Ｎの逆量子化テーブル３−Ｎへと順番に、さらに空間周波数の高域を切り捨てるような数値で構成されるテーブルとなっている。
【００３６】
つまり、逆量子化テーブル選択スイッチ回路４２は、第１乃至第Ｎの入力端子Ａ1 ，Ａ2 ，Ａ3 …ＡN がそれぞれ第１乃至第Ｎの逆量子化テーブル３−１，３−２，３−３…３−Ｎに接続され、コモン端子Ｃが逆量子化回路３２に接続されている。逆量子化テーブル選択スイッチ回路４２は、入力端子４１に導かれたプレビュー時間データｈ１に基づいて第１乃至第Ｎの入力端子Ａ1 ，Ａ2 ，Ａ3 …ＡN を選択してコモン端子Ｃ１に接続する。これにより、逆量子化テーブル選択スイッチ回路４２は、プレビュー時間データｈ１に基づいて、第１乃至第Ｎの逆量子化テーブル３−１，３−２，３−３…３−Ｎの内一つを選択して逆量子化回路３２に接続する。
【００３７】
逆量子化回路３２は、圧縮データｆ１における正方形の各領域の画素毎に、逆量子化テーブル選択スイッチ回路４２により接続された逆量子化テーブルから得られる量子化ステップａ３を掛けることによりＤＣＴ係数ｂ３を得て逆ＤＣＴ回路３４に供給する。逆ＤＣＴ回路３４は、ＤＣＴ係数ｂ３に対しては逆ＤＣＴ演算を行い、復元画像データｇ１を作成して出力端子３５に導く。出力端子３５に導びかれた復元画像データｇ１は、テレビ受像機２０に供給される。
【００３８】
ここで、逆量子化テーブル選択スイッチ回路４２は、使用する逆量子化テーブルを第１の逆量子化テーブル３−１から第２の逆量子化テーブル３−２、第３の逆量子化テーブル３−３…第Ｎの逆量子化テーブル３−Ｎへと切り替えることにより、段階的に復元画像データｇ１による復元映像の映像帯域（解像度）を制限していくことが可能となる。
【００３９】
通常受信の場合を考える。この場合、逆量子化テーブル選択スイッチ回路４２は、第１の逆量子化テーブル３−１を常に選択する。
【００４０】
次に、プレビューサービスを実施する場合を考える。逆量子化テーブル選択スイッチ回路４２は、プレビュー時間データｈ１で制御されており、プレビュースタートの時は、逆量子化テーブル選択スイッチ回路４２は、通常受信と同様に第１の逆量子化テーブル３−１を選択する。この状態では、復元映像の映像帯域は通常通りであるが、一定のプレビュー時間後に、逆量子化テーブル選択スイッチ回路４２は、第２の逆量子化テーブル３−２に切り替て選択する。さらに一定のプレビュー時間後に、逆量子化テーブル選択スイッチ回路４２は、第３の逆量子化テーブル３−３に切り替て選択する。さらに、プレビュー時間の経過に応じて逆量子化テーブル選択スイッチ回路４２は、第Ｎの逆量子化テーブル３−Ｎに向かって順次切り替えていくことで映像の品位を次第に落としていくことが可能となる。
【００４１】
このような構成により、本発明の実施の形態のデジタル放送受信装置は、デジタル放送信号ｄ１を受信して復調することによりシステムストリームｅ１を出力する復調器１７と、この復調器１７からのシステムストリームｅ１を画像の圧縮データｆ１、オーディオデータ及び有料番組サービスのプレビュー時間データｈ１を含むその他データに分離する分離回路１８と、複数の逆量子化テーブル３−１，３−２，３−３…３−Ｎと、前記分離回路１８からの有料番組サービスのプレビュー時間データｈ１に基づいてタイミングを設定して前記複数の逆量子化テーブル３−１，３−２，３−３…３−Ｎを切換え選択する逆量子化テーブル選択スイッチ回路４２と、前記分離回路１８からの画像の圧縮データｆ１を前記逆量子化テーブル選択スイッチ回路４２が選択した逆量子化テーブルを用いて逆量子化を行いＤＣＴ係数ｂ３を出力する逆量子化回路３２と、この逆量子化回路３２からのＤＣＴ係数ｂ３に対して逆ＤＣＴ演算を行い、復元画像データを作成する逆ＤＣＴ回路３４と、を具備して構成されている。
【００４２】
また、前記逆量子化テーブル選択スイッチ回路４２は、プレビュー時間の経過にともない、前記逆ＤＣＴ回路３４からの復元画像データｇ１による表示画像の精細度が低下するように前記複数の逆量子化テーブル３−１，３−２，３−３…３−Ｎを切換え選択している。
【００４３】
以下、本発明の実施の形態の動作を図５及び図６を参照して説明する。
【００４４】
図５及び図６は本発明の実施の形態の示したデジタル放送受信装置によるプレビューサービスを示す説明図であり、図５（ａ），図５（ｂ），図６（ａ）はそれぞれプレビューサービスの最初の規定のプレビュー時間，２番目の規定のプレビュー時間，３番目の規定のプレビュー時間を示し、図６（ｂ）はプレビューサービス後の画面を示していめる。
【００４５】
プレビューサービスが開始すると、図１のビデオ復号器１９の第２の入力端子４１に導かれるプレビュー時間データｈ１に基づいて、量子化テーブル選択スイッチ回路４２が第１の量子化テーブル３−１を選択し、図５（ａ）において、テレビジョン受像機の画面５１には販売促進のための最初のプレビュー画面５２が表示される。プレビューの初期画面５２の下側は、番組領域５３となっており、この図では、番組領域５３に“有料５００円”の文字が表示されている。プレビュー画面５２の上側は、番組情報領域５４となっており、番組情報領域５４にここでは番組タイトルの“ネコのすべて”の文字と“プレビュー中”の文字が表示されている。プレビュー画面５２の中間部は、番組内容領域５５となっており、デスクランブルされた番組内容（ネコの映像）５６が映し出されている。
【００４６】
視聴者が番組を視聴したい場合、番組購入の契約を行うと、継続して番組を視聴することができる。視聴者が番組契約をしない場合、最初の規定のプレビュー時間が経過すると、逆量子化テーブルが第２の量子化テーブル３−２切り替わり画像の高域成分が一部削除され、図５（ｂ）において、テレビジョン受像機の画面５１は２番目のプレビュー画面５７に切り替わり、この画面５７の番組内容領域５５には多少ボケた映像として番組内容５８が映し出される。ここで、視聴者が番組を視聴したい場合、番組購入の契約を行うと、第２の逆量子化テーブル３−２が通常の逆量子化テーブル３−１に切り替わり、図５（ａ）の時点と同じ通常の映像品位に戻り、継続して番組を視聴することができる。
【００４７】
視聴者が番組契約をしないまま、２番目の規定のプレビュー時間が経過すると、逆量子化テーブルが第３の量子化テーブル３−３に切り替わりさらに画像の高域成分が一部削除され、図６（ａ）において、テレビジョン受像機の画面５１は３番目のプレビュー画面５９に切り替わり、この画面５９の番組内容領域５５にはさらにボケた映像として番組内容６０が映し出される。ここで、視聴者が番組を視聴したい場合、番組購入の契約を行うと、第３の逆量子化テーブル３−３が通常の逆量子化テーブル３−１に切り替わり、図５（ａ）の時点と同じ通常の映品位に戻り、継続して番組を視聴することができる。以下、このような画面変化が動作がＮ番目の規定のプレビュー時間まで行われる。視聴者が番組契約をしないまま、最後（Ｎ番目）の規定のプレビュー時間が経過すると、デスクランブルの動作が停止し、番組はスクランブルされ番組内容の把握はできなくなる。このとき、受信装置側の表示は、図６（ｂ）に示すように、、テレビジョン受像機の画面５１は、映像ミュートがかけられた画面６２となる。画面６２の下側の番組領域５３には、図５（ａ）のプレビュー画面５２と同様の表示が行われ、画面６２の番組情報領域５４には、番組タイトルの“ネコのすべて”の文字が表示されるが、“プレビュー中”の文字が表示ていない。画面６２の番組内容領域５５には、映像ミュートがかけられた映像６６が表示されるとともに、その中央部６７に、“番組はすでに始まっています。”の文字が表示されている。
【００４８】
ここで、図５及び図６に示した動作では、逆量子化テーブルの切り替えを多くすることで、より多数のプレビュー状態を設定することが可能である。
【００４９】
以上、説明したようにこのような発明の実施の形態によれば、ＰＰＶサービスのプレビュー期間に表示される番組の画質を段階的に劣化させることにより、視聴者の番組内容への興味を高め、視聴意欲を高めることができるので、プレビューサービスの利用促進効果を高めることができ、番組購入の契約率を高めることができる。
【００５０】
以上の発明の実施の形態はプレビュー画面の状態設定を行うことでＰＰＶのような番組で個別に契約する有料番組の利用促進効果を狙うものであるが、他の発明の実施の形態としては、定額契約の有料番組（例えばＮＨＫ−ＢＳやＷＯＷＷＯＷ等の月ぎめ契約の有料放送をデジタル放送化したもの）について、逆量子化テーブルの切り替えを課金データに基づいて行ない、定額有料番組利用者に対する料金支払い催促の効果を目的としたサービスを行うものが考えられる。これは、料金が正しく支払われているときは通常の画面であるが、月極番組利用者により料金の支払いに遅滞が生じた場合、料金の支払いの案内を出しながら、逆量子化テーブルを切り替えていくことで、徐々に画質を劣化させていき、料金支払いの催促効果を高めるものである。このようなデジタル放送受信装置は、図１乃至図６に示した有料番組サービスのプレビュー時間データの代わりに有料番組サービスの課金データを用いて構成し、逆量子化テーブル選択スイッチ回路が、課金データの内容にともない、逆離散コサイン変換回路からの復元画像データによる表示画像の精細度が低下するように前記複数の逆量子化テーブルを切換え選択することで実現できる。
【００５１】
このようなデジタル放送受信装置では、定額契約の有料番組の表示状態を契約者の料金支払い状況に応じてコントロールすることができるので、より有効な料金支払催促効果が得られる。
【００５２】
【発明の効果】
本発明によれば、プレビューサービスの利用促進効果を高めることができ、番組購入の契約率を高めることができる。
【図面の簡単な説明】
【図１】本発明に係るデジタル放送受信装置の発明の実施の形態のビデオ復号器を示すブロック図。
【図２】図１のビデオ復号器が用いられるデジタル放送システムのデジタル放送送信装置を示すブロック図。
【図３】図１のビデオ復号器が用いられるデジタル放送送信装置を示すブロック図。
【図４】図２のデジタル放送送信装置のビデオ符号器を示すブロック図。
【図５】図１乃至図４に示した発明の実施の形態によるプレビューサービスを示す第１の説明図。
【図６】図１乃至図４に示した発明の実施の形態によるプレビューサービスを示す第２の説明図。
【図７】従来のデジタル放送送信装置を示すブロック図。
【図８】図７のデジタル放送送信装置からのデジタル放送信号を受信するデジタル放送受信装置を示すブロック図。
【図９】図７のビデオ符号器をさらに詳細に説明するブロック図。
【図１０】図８のビデオ復号器をさらに詳細に説明するブロック図。
【図１１】従来のプレビューサービスを示す説明図。
【符号の説明】
１７    復調器
１８    分離回路
３２    逆量子化回路
３４    逆ＤＣＴ回路
４２    逆量子化テーブル選択スイッチ回路
３−１，３−２，３−３…３−Ｎ    複数の逆量子化テーブル
【図１】
0003853494.tif 000002
【図２】
0003853494.tif 000003
【図３】
0003853494.tif 000004
【図４】
0003853494.tif 000005
【図５】
0003853494.tif 000006
【図６】
0003853494.tif 000007
【図７】
0003853494.tif 000008
【図８】
0003853494.tif 000009
【図９】
0003853494.tif 000010
【図１０】
0003853494.tif 000011
【図１１】
0003853494.tif 000012